(57)【特許請求の範囲】
【請求項１】
植立穀稈に作用する引起装置及び刈取装置、刈取穀稈を脱穀装置に供給する搬送装置を備えているコンバインの刈取部構造であって、
穀稈引起経路を形成するとともに前端部で分草具を支持している機体前後向きの分草フレームのうち、左右方向での最外側に位置する外側分草フレームよりも中央側に位置させた内側分草フレームを、後端側に位置する軸芯まわりで上下揺動切り換え自在に取付けて、
この内側分草フレームの前端側の上下高さを刈取作業用の高さに位置させた上昇閉じ状態と、前端側の上下高さを前記外側分草フレームの前端側高さよりも下方側に位置させた管理用の下降開き状態とに姿勢切換自在に構成してあることを特徴とするコンバインの刈取部構造。
【請求項２】
前記刈取装置が、前記内側分草フレームと共に上下揺動する状態で内側分草フレームによって支持されている請求項１記載のコンバインの刈取部構造。
【請求項３】
穀稈用の搬送ガイドが、前記内側分草フレームと共に上下揺動する状態で内側分草フレームによって支持されている請求項１又は２記載のコンバインの刈取部構造。
【請求項４】
前記引起装置を、上端側に位置する軸芯まわりで管理用の上昇開き状態と、作業用の下降閉じ状態とに上下揺動切り換え自在に取付けある請求項１〜３のいずれか１項に記載のコンバインの刈取部構造。
【発明の詳細な説明】
【０００１】
【発明の属する技術分野】
本発明は、植立穀稈に作用する引起装置及び刈取装置、刈取穀稈を脱穀装置に供給する搬送装置を備えているコンバインの刈取部構造に関する。
【０００２】
【従来の技術】
上記コンバインの刈取部にあっては、穀稈やワラ屑が詰まって内部清掃が必要になることがある。従来、この清掃を行うとか、内部を点検したり修理する管理作業を行う場合、次の如き問題があった。
【０００３】
【発明が解決しようとする課題】
従来、刈取部の上記した清掃や管理作業を行う際、分草フレームや分草具が障害物になりやすいとか、分草フレームなどのために刈取部の底側が狭くなっていて作業が行いにくくなっていた。
【０００４】
本発明の目的は、底側の清掃や管理が容易に行えるコンバインの刈取部構造を提供することにある。
【０００５】
【課題を解決するための手段】
請求項１による発明の構成、作用、効果はつぎのとおりである。
【０００６】
〔構成〕
植立穀稈に作用する引起装置及び刈取装置、刈取穀稈を脱穀装置に供給する搬送装置を備えているコンバインの刈取部構造において、
穀稈引起経路を形成するとともに前端部で分草具を支持している機体前後向きの分草フレームのうち、左右方向での最外側に位置する外側分草フレームよりも中央側に位置させた内側分草フレームを、後端側に位置する軸芯まわりで上下揺動切り換え自在に取付けて、
この内側分草フレームの前端側の上下高さを刈取作業用の高さに位置させた上昇閉じ状態と、前端側の上下高さを前記外側分草フレームの前端側高さよりも下方側に位置させた管理用の下降開き状態とに姿勢切換自在に構成してあることを特徴とする。
【０００７】
〔作用〕
分草フレームを上昇閉じ状態から下降開き状態に切り換えると、分草フレームが作業用の場合よりも下降し、かつ、分草具も分草フレームに付いて下降して作業用の場合より下降するものである。これにより、刈取部の清掃とか点検や修理を行う際、分草フレーム及び分草具を作業用の場合より下降させて障害物になりくくするとともに刈取部の底側を開放することができる。
【０００８】
〔効果〕
したがって、刈取部を清掃したり点検や修理するに当たり、分草フレーム及び分草具を障害物になりにくくするとともに刈取部の底側を開放し、刈取部の底側に手や工具を容易に届かせたり広い作業スペースを確保して能率よく作業できる。
【０００９】
請求項２による発明の構成、作用、効果はつぎのとおりである。
【００１０】
〔構成〕
請求項１による発明の構成において、前記刈取装置が、前記内側分草フレームと共に上下揺動する状態で内側分草フレームによって支持されている。
【００１１】
〔作用〕
分草フレームを下降開き状態に切り換えると、刈取装置が分草フレームに付いて下降して作業用の場合より下降するものである。これにより、分草フレームの下降操作により、刈取装置も下降させて障害物になりにくくしたり、上方の搬送具などとの間隔を広げたりすることができる。
【００１２】
〔効果〕
したがって、刈取装置も障害物になりにくくしたり刈取装置とその上方の搬送具などとの間に作業用スペースを形成し、刈取装置やその周辺を清掃したり点検するなどの作業も能率よく行える。しかも、分草フレームの下降操作によって刈取装置も一挙に下降して操作簡単で済む。
【００１３】
請求項３による発明の構成、作用、効果はつぎのとおりである。
【００１４】
〔構成〕
請求項１又は２による発明の構成において、穀稈用の搬送ガイドが、前記内側分草フレームと共に上下揺動する状態で内側分草フレームによって支持されている。
【００１５】
〔作用〕
分草フレームを下降開き状態に切り換えると、搬送ガイドが分草フレームに付いて下降して作業用の場合より下降するものである。これにより、分草フレームの下降操作により、搬送ガイドも下降させて障害物になりにくくしたり、搬送ガイドと搬送具の間隔を広げたりすることができる。
【００１６】
〔効果〕
したがって、搬送ガイドも障害物になりにくくしたり搬送ガイドと搬送具の間に作業用スペースを形成し、搬送ガイドや搬送具を清掃したり点検するなどの作業も能率よく行える。しかも、分草フレームの下降操作によって搬送ガイドも一挙に下降して操作簡単で済む。
【００１７】
請求項４による発明の構成、作用、効果はつぎのとおりである。
【００１８】
〔構成〕
請求項１〜３のいずれか１項による発明の構成において、前記引起装置を、上端側に位置する軸芯まわりで管理用の上昇開き状態と、作業用の下降閉じ状態とに上下揺動切り換え自在に取付けある。
【００１９】
〔作用〕
引起装置を下降閉じ状態から上昇開き状態に切り換えると、引起装置が作業用の場合よりも上昇して刈取部の前側が開くものである。これにより、刈取部の清掃とか点検や修理を行う際、刈取部の前方から内部を作業しやすいように刈取部の前側を開放できる。
【００２０】
〔効果〕
刈取部を清掃したり点検や修理するに当たり、刈取部の前側も開放し、内部に対する作業を前方から容易に行って能率よく作業できる。
【００２１】
【発明の実施の形態】
図１に示すように、クローラ式走行装置１、運転部２を備えている自走機体の機体フレーム３の前部に、刈取部１０の刈取部フレームの基端部を機体横向きの軸芯Ｐまわりで回動自在に連結するとともに、刈取部フレームにリンク機構６を介してシリンダロッドが連結しているリフトシリンダ７によって刈取部フレームを上下に揺動操作して刈取部１０を下降作業位置と上昇非作業位置とに昇降操作するように構成し、自走機体に脱穀装置４及び穀粒タンク５を設けて、稲・麦などを収穫するコンバインを構成していある。
【００２２】
すなわち、図１、図２、図４に示すように、刈取部１０は、刈取部１０の前端部でその横方向に並ぶ複数個の分草具１１によって植立穀稈を刈取り対象と非刈取り対象の穀稈とに分草し、分草具１１からの複数条の刈取り対象穀稈を機体横方向に並んでいる複数本の穀稈引起経路１２に各別に導入し、各穀稈引起経路１２に導入した植立穀稈を穀稈引起経路１２の横側に位置している引起装置２０ａ，２０ｂの引起こし爪２５ａによって引起こし処理しながら、株元側を引起装置２０ａ，２０ｂの下方に位置している無端回動ベルト３１を備えている前搬送装置３０によって穀稈引起経路１２の終端部に位置している一つのバリカン形の刈取装置１３に搬送して刈取り処理し、刈取装置１３からの複数条の刈取穀稈を、刈取装置１３の上方で機体横方向に並んでいる複数個の搬送回転体４１を備えている後搬送装置４０によって機体後方向きに搬送し、搬送途中で合流させてさらに機体後方向きに搬送して脱穀装置４の脱穀フィードチェン４ａの始端部に供給する。
【００２３】
脱穀装置４は、刈取部１０からの刈取り穀稈の株元側を脱穀フィードチェーン４ａによって挟持して機体後方側に搬送し、その穂先側を扱室（図示せず）に供給して脱穀処理し、脱穀粒を前記穀粒タンク５に搬送して回収させる。
【００２４】
刈取部１０についてさらに詳述すると、次の如く構成してある。
【００２５】
図３、図１０に示すように、入力プーリ５１ａが一端側に付いているとともに機体フレーム３に前記軸芯Ｐまわりで回動自在に連結するように構成してある機体横向きの入力ケース５１、この入力ケース５１の中間部に基端側が接続している機体前後向きの伝動ケース５２、この伝動ケース５２の先端部に中間部が接続している機体横向きの伝動ケース５３の各伝動ケースで成る刈取りメインフレームと、前記横向き伝動ケース５３の前側に位置している機体横向きの丸パイプフレーム５４と、この丸パイプフレーム５４の前側に位置している機体横向きの角パイプフレーム５５と、前記横向き伝動ケース５３の両端部から機体前方向きに延出しているとともに機体前後向きの前記丸パイプフレーム５４及び角パイプフレーム５５の端部を支持している機体前後向きの外側分草フレーム５６と、前記角パイプフレーム５５に沿っているとともにこの角パイプフレーム５５に連結している横断面Ｌ字形の機体横向きの１本の支持フレーム５７の長手方向での複数箇所から前方向きに延出している機体前後向きの内側分草フレーム５８と、前記横向き伝動ケース５３の一端側に下端側が接続している機体上下向きの縦伝動ケース５９と、前記横向き伝動ケース５３の他端側に立設してある支柱６０と前記縦伝動ケース５９とにわたって連結しているとともにこの縦伝動ケース５９に対して接続している機体横向きの引起こし伝動ケース６１とにより、刈取部フレームを構成してある。
【００２６】
前記複数本の外側及び内側分草フレーム５６，５８の隣接し合う一対の分草フレーム５６，５８，５８どうしの間に1 本の前記穀稈引起経路１２が形成される状態で前記複数本の外側及び内側分草フレーム５６，５８によって機体横方向に並ぶ複数本の前記穀稈引起経路１２を形成し、各分草フレーム５６，５８の前端部に前記分草具１１を取付け、前記各穀稈引起経路１２それぞれの前端部の横側で、外側分草フレーム５６及び内側分草フレーム５８の前端側と、前記引起こし伝動ケース６１とにわたって前記引起装置２０ａ，２０ｂを取付け、前記内側分草フレーム５８及び前記刈取りメインフレームによって前記前搬送装置３０を支持させてある。前記支持フレーム５７に前記刈取装置１３を取付け、前記角パイプフレーム５５や刈取りメインフレームによって前記後搬送装置４０を支持させてある。
【００２７】
図４に示すように、前記各前搬送装置３０は、刈取装置１３の上方に駆動回動自在に位置している搬送回転体４１、この搬送回転体４１の上方に搬送終端側が位置している前記無段回動ベルト３１、前記内側分草フレーム５８の引起装置２０ｂを支持する部位の付近から後方向きに延出して延出端側が搬送回転体４１及び無端回動ベルト３１の付近に位置しているとともに途中が穀稈引起経路１２に入り込むように屈曲している丸棒材で成る搬送ガイド３２などを備えて構成してあり、引起装置２０ａ，２０ｂが作用している穀稈の株元側を搬送ガイド３２によって後方に案内し、無端回動ベルト３１が備えているアーム形状の係止搬送爪３１ａと、搬送回転体４１の外周部に周設されている突起による掻き込みとによって刈取装置１３に送り込む。
【００２８】
図４に示すように、前記後搬送装置４０は、前記複数個の搬送回転体４１、最も機体内側に位置する前記搬送回転体４１の上方に搬送始端部が位置している始端側株元挟持搬送チェーン４２、この始端側株元挟持搬送チェーン４２の搬送終端部に搬送始端部が接続している合流株元挟持搬送チェーン４３、この合流株元挟持搬送チェーン４３の搬送終端部に搬送始端部が接続している終端側株元挟持搬送チェーン４４、前記始端側株元挟持搬送チェーン４２の搬送始端側の上方に搬送始端部が、前記終端側株元挟持搬送チェーン４４の機体内側の上方に搬送終端部がそれぞれ位置している穂先側係止搬送チェーン４５、複数個の搬送回転体４１の機体横方向での中央部に位置している搬送回転体４１の上方に搬送始端部が位置している始端側株元挟持搬送チェーン４６、最も機体外側に位置する前記搬送回転体４１の上方に搬送始端部が位置している始端側株元挟持搬送チェーン４７、この始端側株元挟持搬送チェーン４７の上方に位置する始端側穂先係止搬送チェーン４８などを備えて構成してあり、刈取装置１３からの複数条の刈取穀稈を搬送回転体４１、始端側株元挟持搬送チェーン４２，４６，４７、始端側穂先係止搬送チェーン４８及び穂先側係止搬送チェーン４５によって縦姿勢で後方に搬送して合流株元挟持搬送チェーン４３に供給して合流させ、合流した刈取穀稈を合流株元搬送チェーン４３、終端側株元搬送チェーン４４及び穂先側係止搬送チェーン４５によってさらに縦姿勢で後方に搬送し、終端側株元搬送チェーン４４によって穂先側が機体内側に倒れた倒伏姿勢に姿勢変更して脱穀フィードチェーン４ａに供給する。
【００２９】
機体横方向に並ぶ前記複数個の引起装置２０ａ，２０ｂのうち、最も左外側に位置するものと最も右外側に位置するものとの２個の引起装置２０ａ以外の全ての引起装置２０ｂそれぞれの上端側は、図５に示す如く引起装置２０ｂの上端側に備えてある連結部材７１などを有した連結機構７０によって前記引起こし伝動ケース６１に連結されるように構成してある。
【００３０】
この引起装置上端側の連結機構７０は、引起装置２０ｂの引起こしチェーン２５などを支持しているメインフレーム２１の上端側と、チェーン駆動スプロケット２２に駆動力を導入するようにメインフレーム２１から延出している入力ケース２３にわたって基端側が連結している前記連結部材７１と、この連結部材７１の先端側に固定されている連結ピン７２に支持作用するように構成して引起こし伝動ケース６１に固設してある支持フック７３とを備えて構成してあり、連結部材７１の連結ピン７２を支持フック７３に対して係脱させることにより、引起装置２０ｂの上端側を引起こし伝動ケース６１に対して連結したり、引起装置２０ｂの上端側を引起こし伝動ケース６１から分離させるのであり、連結部材７１を連結ピン７２によって支持フック７３に掛けておけば、引起装置２０ｂの上端側を引起こし伝動ケース６１に対して前記連結ピン７２の機体横向きの軸芯７２ａまわりで回動自在に支持されるように連結しておく。
引起装置２０ｂが連結ピン７２の軸芯７２ａまわりで引起こし伝動ケース６１に対して回動すると、入力ケース２３が引起こし伝動ケース６１の出力部６１ａに対して離間したり接続するように、かつ、これに伴って、入力ケース２３の内部に位置している入力軸２３ａが連結具２４によって引起こし伝動ケース６１の出力軸６２に対して自ずと連結したり分離するように構成してある。
【００３１】
機体横方向に並ぶ前記複数個の引起装置２０ａ，２０ｂのうち、前記横外側の２個の引起装置２０ａを除く他の全ての引起装置２０ｂの下端側は、図６、図８に示す如く引起装置２０ｂの下端側に備えてある連結部材８１などを備えている連結機構８０によって前記内側分草フレーム５８の前端側に連結されるように構成してある。
【００３２】
この引起装置下端側の連結機構８０は、引起装置２０ｂの前記メインフレーム２１の下端側に固定されている前記連結部材８１と、前記内側分草フレーム５８に支持パイプ８２を介して固定されている支持ブラケット８３と、この支持ブラケット８３の一対の支持片８３ａにわたって付いている連結ピン８４と、支持ブラケット８３の支持片８３ａどうしの間でコイル部が連結ピン８４に外嵌している連結ばね８５とを備えて構成してあり、連結部材８１を連結ピン８４によって支持ブラケット８３に連結したり、この連結を解除することによって引起装置２０ｂの下端側を内側分草フレーム５８に対して連結したり、この連結を解除する。
【００３３】
すなわち、連結ピン８４を一端側の操作部８４ａによって支持片８３ａに対して連結ばね８５に抗してスライド操作し、連結ピン８４の先端部８４ｂを連結部材８１の一方の連結片８１ａの貫通ピン孔８６から抜き外した状態にしながら、引起装置２０ｂを上端側の前記連結ピン７２の軸芯７２ａまわりで上昇揺動させることにより、連結部材８１が支持ブラケット８３から分離し、引起装置２０ｂの下端側を内側分草フレーム５８から分離させる。この分離操作の場合と同様に連結ピン８４を連結ばね８５に抗してスライドさせた状態にしながら、引起装置２０ｂを前記軸芯７２ａまわりで下降揺動させ、連結部材８１の他方の連結片８１ａが切欠きピン孔８７のために連結ピン８４に外嵌して一対の連結片８１ａが支持ブラケット８３の両外側に別れて重なった状態になると、連結ピン８４を連結ばね８５によってスライド操作させる。すると、連結ピン８４の先端部８４ｂが前記貫通ピン孔８６に入り込んで連結ピン８４が連結部材８１を支持ブラケット８３に連結し、引起装置２０ｂの下端側を内側分草フレーム５８に連結する。
【００３４】
これにより、横外側に位置する位置する２個の引起装置２０ａを除く他の全ての引起装置２０ｂにあっては、下端側の前記連結機構８０による内側分草フレーム５８に対する連結を解除した状態にすれば、引起こし伝動ケース６１によって引起装置２０ｂの上端側に位置する前記軸芯７２ａのまわりで上下に揺動するように支持された状態になり、前記軸芯７２ａまわりで上下に揺動操作することにより、図１に二点鎖線で示すとともに図９に示す如く上昇揺動して刈取部１０の前部を開放した管理用の上昇開き状態と、図１に実線で示すとともに図５に示す如く下降揺動して穀稈引起経路１２に導入された植立穀稈に引起こし作用する作業用の下降閉じ状態とに切り換えられるようになっている。また、上昇開き状態にして連結部材７１を支持フック７３から外したり、支持フック７３に掛けたりすることにより、引起こし伝動ケース６１に対して着脱できるようになっている。
【００３５】
図１１、図１３に示すように、前記複数本の内側分草フレーム５８及び刈り刃支持台９１を支持している前記支持フレーム５７の縦辺部５７ａの下端側が、前記角パイプフレーム５５の下部に対して機体横向きの軸芯Ｘまわりで回動自在に連結しており、各内側分草フレーム５８及び刈取装置１３が角パイプフレーム５５によって前記軸芯Ｘまわりで上下揺動自在に支持されているように構成してあるとともに、図１０に示すように、前記支持フレーム５５の長手方向での複数箇所に、フレームロックアーム１０１を備えたフレームロック機構１００を設けてある。
【００３６】
図１１に示すように、前記刈取装置１３を支持している刈り刃支持台９１の後端側が、前記支持フレーム５７の縦辺部５７ａに対して機体横向きの軸芯Ｙまわりで回動自在に連結しており、刈取装置１３が内側分草フレーム５８と共に軸芯Ｘまわりで角パイプフレーム５５に対して上下揺動する状態に内側分草フレーム５８によって支持されるように構成し、かつ、前記軸芯Ｙまわりで支持フレーム５７に対して上下揺動する状態に支持されるように構成してあるとともに、図１０に示すように、刈取装置１３の両端側と、刈取装置１３の中央側の２箇所とに、図１１、図１３に示す刈取ロックアーム１１１を備えた刈取装置ロック機構１１０を設けてある。
【００３７】
図１１、図１４に示すように、前記各フレームロック機構１００は、前記角パイプフレーム５５に固定されている支持台１０２と、この支持台１０２に基端側が連結ピン１０３によって回動自在に連結していて、支持台１０２によって連結ピン１０３の軸芯まわりで揺動操作自在に支持されている前記フレームロックアーム１０１と、前記支持フレーム５７から後方向きに延出しているロックピンアーム１０４とを備えて構成してある。
すなわち、内側分草フレーム５８が上昇揺動され、ロックピンアーム１０４の延出端側が支持台１０２の表面側に接近した状態なると、フレームロックアーム１０１を連結ピン１０３の軸芯まわりでロックピンアーム１０４の方に揺動操作して、ロックピンアーム１０４の表面側に重なるとともにロックアーム１０４に固定のロックピン１０５に対して切欠き部１０１ａによって係合したロック状態にする。すると、フレームロック機構１００は、支持フレーム５７を角パイプフレーム５５に対して揺動しないようにロックし、これにより、内側分草フレーム５８を角パイプフレーム５５に対して穀稈引起経路１２を形成する取り付け姿勢で固定するようにロック状態になる。このとき、フレームロックアーム１０１をこれの操作部１０１ｂの位置する方が支持台１０２から浮き上がるように弾性変形させて、操作部１０１ｂの近くに位置する部分をピン孔１０１ｃによって支持台１０２の外れ止めピン１０６に係合させることにより、フレームロックアーム１０１をロック状態にこれからずれ動かないように固定できる。フレームロックアーム１０１を前記外れ止めピン１０６から外れた状態に弾性変形させながら機体後方側に揺動操作して、ロックピンアーム１０４から外れたロック解除状態にする。すると、フレームロック機構１００は、支持フレーム５７の角パイプフレーム５５に対する揺動ロックを解除し、内側分草フレーム５８の軸芯Ｘまわりでの上下揺動を許容するようにロック解除状態になる。
【００３８】
図１１、図１３に示すように、前記各刈取装置ロック機構１１０は、前記刈り刃支持台９１から機体前方向きに延出している前記刈取ロックアーム１１１の延出端側と、前記支持フレーム５７から延出している支持アーム５７ａや、外側分草フレーム５６に付設してあるロック部材１１２とにわたってロックボルト１１３を装着して、刈取ロックアーム１１１をロック部材１１２に連結することにより、刈り刃支持台９１を支持フレーム５７に対して揺動しないようにロックすることによって、刈取装置１３を支持フレーム５７に対して作業用の取付け姿勢で固定するようにロック状態になり、刈取りロックアーム１１１のロック部材１１２に対するロックボルト１１３による連結を解除することにより、刈り刃支持台９１の支持フレーム５７に対する揺動ロックを解除し、刈取装置１３の支持フレーム５７に対する上下揺動を許容するようにロック解除状態になる。
【００３９】
これにより、図１５に示すように、刈取部１０を自走機体に対して上昇させて刈取部フレームと地面との間に内側分草フレーム５８が下降するスペースを確保した状態にし、支持フレーム５７の複数箇所に位置している前記フレームロック機構１００のそれぞれ、及び、刈取装置１３の両横側に位置している前記刈取装置ロック機構１１０のそれぞれをロック解除状態に切り換えることにより、全ての内側分草フレーム５８を分草具１１が付いているままで一挙に軸芯Ｘまわりで上下に揺動操作して、図１５に示す如く刈取部１０の底側を開放した管理用の下降開き状態と、図１に示す如く穀稈引起経路１２を形成するとともに引起装置２０ｂの下端側を支持する作業用の上昇閉じ状態とに切り換えられる。このとき、分草具１１、刈取装置１３及び前記搬送ガイド３２も内側分草フレーム５８に付いて共に上下揺動する。
【００４０】
つまり、刈取部１０の前搬送装置３０及び後搬送装置４０を点検したり修理するとか、前搬送装置３０及び後搬送装置４０に詰まったワラ屑を清掃するなど刈取部１０の内部に対する清掃、点検、修理などを行う際、図１５に示すように、外側の２個の引起装置２０ａを除く他の引起装置２０ｂを下降閉じ状態から前記上昇開き状態に切り換えることにより、刈取部１０の前搬送装置３０、後搬送装置４０などの前方を作業しやすいように開放できる。このとき、引起装置２０ｂを取外してもよい。さらに、全ての内側分草フレーム５８を上昇閉じ状態から下降開き状態に切り換えることにより、刈取部１０の前搬送装置３０、後搬送装置４０などの底側も作業しやすいように開放できる。さらにこのとき、分草具１１、刈取装置１３及び搬送ガイド３２も内側分草フレーム５８に付いて一挙に下降して、前搬送装置３０、後搬送装置４０などの前方及び底側をより作業しやすいように開放できる。尚このとき、刈取装置１３の左右の入力部１３ａが、刈り刃駆動アームから抜け外れて刈取装置１３の下降が可能になる。
さらに、図１２に示すように、刈取装置１３の中央側２箇所の前記刈取装置ロック機構１１０による刈取装置１３の支持フレーム５７に対する揺動ロックを解除することにより、刈取装置１３を単独で支持フレーム５７に対して下降揺動させて、さらに刈取装置１３のまわりに作業用スペースを広く確保できる。
【００４１】
〔別実施形態〕
上記実施形態の如く、引起装置２０ｂを上下揺動も着脱も可能なように構成するほか、上下揺動のみ可能なように構成して実施してもよい。
【図面の簡単な説明】
【図１】コンバイン前部の側面図
【図２】刈取部の正面図
【図３】刈取部フレームの斜視図
【図４】前搬送装置及び後搬送装置の概略平面図
【図５】引起装置上端側の連結機構を示す側面図
【図６】引起装置下端側の連結機構を示す側面図
【図７】引起装置下端側の連結解除状態を示す側面図
【図８】引起装置下端側の連結機構の斜視図
【図９】引起装置上端側の上昇状態を示す側面図
【図１０】刈取装置及びフレームロック機構の平面図
【図１１】刈取装置中央側の刈取装置ロック機構を示す側面図
【図１２】内側分草フレーム及び刈取装置の下降状態を示す側面図
【図１３】刈取装置端側の刈取装置ロック機構を示す側面図
【図１４】フレームロック機構の平面図
【図１５】刈取部の点検状態を示す側面図
【符号の説明】
４            脱穀装置
１１          分草具
１３          刈取装置
２０ｂ        引起装置
３２          搬送ガイド
４０          搬送装置
５８          分草フレーム
７２ａ        軸芯
【図１】
0004046532.tif 000002
【図２】
0004046532.tif 000003
【図３】
0004046532.tif 000004
【図４】
0004046532.tif 000005
【図５】
0004046532.tif 000006
【図６】
0004046532.tif 000007
【図７】
0004046532.tif 000008
【図８】
0004046532.tif 000009
【図９】
0004046532.tif 000010
【図１０】
0004046532.tif 000011
【図１１】
0004046532.tif 000012
【図１２】
0004046532.tif 000013
【図１３】
0004046532.tif 000014
【図１４】
0004046532.tif 000015
【図１５】
0004046532.tif 000016